(57)【要約】【課題】接続された端子に取り付けられている線材の揺動を抑制することが可能な端子台装置及び端子台部品を提供する。【解決手段】端子台装置１は、端子４を接続可能な端子台２と、端子台２を取り付け可能な端子台部品３を備えている。端子台２は、端子４に挿通することにより端子４を係止する挿通部２１１を備える。端子台部品３は、挿通部２１１にて係止された端子４に取り付けられている線材４０の方向に突出し、係止されている端子４に取り付けられた線材４０が、挿通部２１１を軸とした周方向に揺動することを規制する規制部３０を備える。【選択図】図１
2019139989.tif 000002
【特許請求の範囲】
【請求項１】
線材が取り付けられた端子を接続可能な端子台及び前記端子台に取り付け可能な端子台部品を備える端子台装置であって、
前記端子台は、
端子に挿通することにより端子を係止する挿通部を備え、
前記端子台部品は、
前記挿通部にて係止された端子に取り付けられている線材の方向に突出し、係止されている端子に取り付けられた線材が、前記挿通部を軸とした周方向に揺動することを規制する規制部を備える
ことを特徴とする端子台装置。
【請求項２】
請求項１に記載の端子台装置であって、
前記端子台部品が備える規制部は、
揺動を規制すべき線材側へ屈曲した屈曲片を有する
ことを特徴とする端子台装置。
【請求項３】
請求項２に記載の端子台装置であって、
前記端子台は、
前記挿通部が複数並べて配設されており、
前記規制部は、
並べて配設された前記挿通部同士の間から突出しており、
前記規制部の前記屈曲片は、前記規制部の根元の両側に位置する前記挿通部に係止された端子に取り付けられているそれぞれの線材へ向けて分岐して屈曲している
ことを特徴とする端子台装置。
【請求項４】
請求項１乃至請求項３のいずれか１項に記載の端子台装置であって、
前記端子台部品が備える規制部の突出側の先端は、根元側から分離可能に形成されている
ことを特徴とする端子台装置。
【請求項５】
請求項４に記載の端子台装置であって、
前記端子台は、
揺動の軸を一にして複数の端子を接続可能であり、
前記規制部は、揺動の軸を一にして接続された複数の端子のうちの一の端子に取り付けられている線材に対応する位置の先端部分毎に分離可能に形成されている
ことを特徴とする端子台装置。
【請求項６】
請求項１乃至請求項５のいずれか１項に記載の端子台装置であって、
前記端子台は、
端子の係止状態を表示する表示部を備え、
前記端子台部品は、
前記表示部を外部から視認可能に形成されている
ことを特徴とする端子台装置。
【請求項７】
請求項１乃至請求項６のいずれか１項に記載の端子台装置であって、
前記端子台は、
前記挿通部に対する外部からの操作を受け付ける突出部を備え、
前記端子台部品は、
前記突出部の操作用の操作孔が開設され、かつ前記突出部を内包するように形成されている
ことを特徴とする端子台装置。
【請求項８】
線材が取り付けられた端子に挿通することにより端子を係止する挿通部を有する端子台に取り付け可能な端子台部品であって、
端子台の挿通部にて係止された端子に取り付けられている線材の方向に突出し、係止されている端子に取り付けられた線材が、挿通部を軸とした周方向に揺動することを規制する規制部を備える
ことを特徴とする端子台部品。                        
【発明の詳細な説明】
【技術分野】
【０００１】
本発明は、端子を着脱可能な端子台及び端子台に取り付け可能な端子台部品を備える端子台装置、並びに端子台部品に関する。
【背景技術】
【０００２】
配電盤、工作機械、ＰＶ（Ｐｈｏｔｏｖｏｌｔａｉｃｓ；太陽光発電）機器等の電装設備において、電力線、信号線等の各種線材の末端に設けられた端子を接続するために端子台が用いられている。端子台に端子を接続するための基本的な技術としては、端子を端子台にネジ止めすることにより固定し、ネジを外すことにより端子を外す構造が一般的である。
【０００３】
そして、ネジ止め及びネジ外しに関する操作性を改善するため、様々な端子台が提案されている。例えば、特許文献１に開示された端子台は、つまみ部を有するロッドに押さえ板を固着し、端子の孔へロッドの先端である凸部を嵌入した状態で押さえ板と接続金具との間に端子を挾持するためにコイルバネが設けられた構成となっている。
【０００４】
また、特許文献２には、端子台に、保護カバーを装着した端子台装置が開示されている。
【先行技術文献】
【特許文献】
【０００５】
【特許文献１】特開平９−１６１８６８号公報
【特許文献２】特開２００９−３０１７９０号公報
【発明の概要】
【発明が解決しようとする課題】
【０００６】
しかしながら、特許文献１に記載されているようなロッドの先端を嵌入する端子台では、ロッドを軸として端子が揺動する恐れがある。端子の揺動は、例えば、端子と端子台との接触部分に微摺動摩耗等の異常を引き起こす可能性がある。仮に、端子と端子台との接触部分で、端子の揺動が繰り返されることに起因する微摺動摩耗が発生した場合、接触部分の鍍金面に摩耗粉が生じて酸化する場合がある。接触部分、即ち、接点の酸化は、接触抵抗の上昇を引き起こすため、最終的には接触障害に繋がりかねない。
【０００７】
特許文献２に記載されている端子台装置は、先行技術の改良すべき課題として、作業者の安全性の向上及び配線作業能率の向上を挙げているが、端子及び端子に接続された線材の揺動については検討されていない。
【０００８】
本発明は斯かる事情に鑑みてなされたものであり、線材の揺動を抑制することが可能な端子台装置の提供を目的とする。
【０００９】
また、本発明に係る端子台装置に使用可能な端子台部品の提供を他の目的とする。
【課題を解決するための手段】
【００１０】
上記課題を解決するため、本願記載の端子台装置は、線材が取り付けられた端子を接続可能な端子台及び前記端子台に取り付け可能な端子台部品を備える端子台装置であって、前記端子台は、端子に挿通することにより端子を係止する挿通部を備え、前記端子台部品は、前記挿通部にて係止された端子に取り付けられている線材の方向に突出し、係止されている端子に取り付けられた線材が、前記挿通部を軸とした周方向に揺動することを規制する規制部を備えることを特徴とする。
【００１１】
また、本願記載の端子台装置において、前記端子台部品が備える規制部は、揺動を規制すべき線材側へ屈曲した屈曲片を有することを特徴とする。
【００１２】
また、本願記載の端子台装置において、前記端子台は、前記挿通部が複数並べて配設されており、前記規制部は、並べて配設された前記挿通部同士の間から突出しており、前記規制部の前記屈曲片は、前記規制部の根元の両側に位置する前記挿通部に係止された端子に取り付けられているそれぞれの線材へ向けて分岐して屈曲していることを特徴とする。
【００１３】
また、本願記載の端子台装置において、前記端子台部品が備える規制部の突出側の先端は、根元側から分離可能に形成されていることを特徴とする。
【００１４】
また、本願記載の端子台装置において、前記端子台は、揺動の軸を一にして複数の端子を接続可能であり、前記規制部は、揺動の軸を一にして接続された複数の端子のうちの一の端子に取り付けられている線材に対応する位置の先端部分毎に分離可能に形成されていることを特徴とする。
【００１５】
また、本願記載の端子台装置において、前記端子台は、端子の係止状態を表示する表示部を備え、前記端子台部品は、前記表示部を外部から視認可能に形成されていることを特徴とする。
【００１６】
また、本願記載の端子台装置において、前記端子台は、前記挿通部に対する外部からの操作を受け付ける突出部を備え、前記端子台部品は、前記突出部の操作用の操作孔が開設され、かつ前記突出部を内包するように形成されていることを特徴とする。
【００１７】
更に、本願記載の端子台部品は、線材が取り付けられた端子に挿通することにより端子を係止する挿通部を有する端子台に取り付け可能な端子台部品であって、端子台の挿通部にて係止された端子に取り付けられている線材の方向に突出し、係止されている端子に取り付けられた線材が、挿通部を軸とした周方向に揺動することを規制する規制部を備えることを特徴とする。
【００１８】
本願記載の端子台装置及び端子台部品は、規制部により端子に取り付けられている線材の揺動を規制する。
【発明の効果】
【００１９】
本発明に係る端子台装置及び端子台部品は、端子に挿通することにより端子を係止する挿通部を軸とした線材の揺動を、端子台部品から突出した規制部により規制する。
【図面の簡単な説明】
【００２０】
【図１】本願記載の端子台装置の外観の一例を示す概略斜視図である。
【図２】本願記載の端子台装置の外観の一例を示す概略斜視図である。
【図３】本願記載の端子台装置の外観の一例を示す概略平面図である。
【図４】本願記載の端子台装置に用いられる端子台の外観の一例を示す概略斜視図である。
【図５】本願記載の端子台装置に用いられる端子台の外観の一例を示す概略斜視図である。
【図６】本願記載の端子台装置に用いられる端子台に対して使用可能な端子の一例を示す外観斜視図である。
【図７】本願記載の端子台装置に用いられる端子台に対して使用可能な端子の一例を示す外観斜視図である。
【図８】本願記載の端子台装置に用いられる端子台の内部構造の一部の例を示す概略斜視図である。
【図９】本願記載の端子台装置に用いられる端子台の可動部材の外観の一例を示す概略外観図である。
【図１０】本願記載の端子台装置に用いられる端子台部品の外観の一例を示す概略斜視図である。
【図１１】本願記載の端子台装置に用いられる端子台部品の外観の一例を示す概略斜視図である。
【図１２】本願記載の端子台装置に用いられる端子台部品の外観の一例を示す概略斜視図である。
【図１３】本願記載の端子台装置に用いられる端子台部品の外観の一例を示す概略斜視図である。
【発明を実施するための形態】
【００２１】
以下、本発明の実施形態について図面を参照しながら説明する。
【００２２】
＜適用例＞
本願記載の端子台装置は、端子台及び端子台部品を用いて構成される。本願記載の端子台装置に用いられる端子台は、例えば、配電盤、工作機械、ＰＶ機器等の電装設備において、電力線、信号線等の各種線材の末端に設けられた丸端子等の端子を挿抜可能な端子台として適用される。本願記載の端子台装置に用いられる端子台部品は、端子台に取り付け可能な端子台カバー等の端子台部品として適用される。
【００２３】
＜構成例＞
図１及び図２は、本願記載の端子台装置１の外観の一例を示す概略斜視図である。図３は、本願記載の端子台装置１の外観の一例を示す概略平面図である。図１は、本願記載の端子台装置１の外観を前方斜め上からの視点で示しており、図２は、本願記載の端子台装置１の外観を後方斜め下からの視点で示している。なお、以降の説明において、端子台装置１並びに端子台２及び端子台部品３の方向については、図３に向かって、手前側を上、奥側を下、下側を前（正面）、上側を後として表現するが、説明の便宜上の方向であり、端子台装置１の使用の際の方向を限定するものではない。本願記載の端子台装置１は、端子４を接続可能な端子台２に、上方から端子台カバーとして用いられる端子台部品３が取り付けられている。
【００２４】
本願記載の端子台装置１は、略直方体状をなし、左右の側面には、端子４を接続することが可能である。また、端子台装置１の前方側の面及び後方側の面には、接続された端子４に取り付けられている線材４０の揺動を規制する規制部３０が突出している。規制部３０は、端子台部品３に形成されている。規制部３０の詳細については後述する。
【００２５】
＜端子台２＞
次に端子台装置１に用いられる端子台２について説明する。図４及び図５は、本願記載の端子台装置１に用いられる端子台２の外観の一例を示す概略斜視図である。図４は、本願記載の端子台２の外観を前方斜め上からの視点で示しており、図５は、本願記載の端子台２の外観を後方斜め下からの視点で示している。
【００２６】
本願記載の端子台２は、略直方体状をなす筐体２０を備えており、筐体２０の前後の面には、端子台部品３を取り付ける際に用いられる嵌着溝２００が刻設されている。
【００２７】
端子台２の筐体２０の左右の側面には、端子４を挿入可能な挿入口２０１がそれぞれ２箇所、合計４箇所開設されている。左右の側面の相対する位置に開設された挿入口２０１に挿入された端子４は、内部に配設された接続部材２２（図８等参照）により電気的に接続されている。即ち、図１乃至図３に例示する端子台２には、２枚の接続部材２２が配設されており、各端子４は、それぞれ接続部材２２による接続組にて電気的に接続される。
【００２８】
筐体２０に開設された各挿入口２０１内には、それぞれ端子４を接続可能なスロットとして端子受け部２２０が上下２段に形成されている。また、下段に形成された端子受け部２２０の外側には、上下に移動する遮蔽部材２３が配設されており、遮蔽部材２３の移動により下段の端子受け部２２０は遮蔽又は開放される。
【００２９】
端子台２の筐体２０の上面には、４箇所の挿通孔２０２が開設されており、それぞれの挿通孔２０２から筐体２０の外側へ、可動部材２１の突出部２１０が突出している。可動部材２１の突出部２１０は、円柱状をなし、筐体２０の内側へ押下可能な押釦として使用される。円柱状をなす突出部２１０の左右の側面には、矩形状の面である表示部２１０ａが形成されており、表示部２１０ａとなる矩形状の面は、緑、銀等の目立つ色に着色されている。表示部２１０ａは、上下に可動する可動部材２１の位置を表示する機能を有し、使用者は、着色された表示部２１０ａの露出状況を視認することにより、可動部材２１の突出部２１０の位置を認識することができる。また、筐体２０の上面には、挿通孔２０２の周囲における表示部２１０ａに対応する位置に、表示部２１０ａを容易に視認可能とすべく、視認補助溝２０３が溝状の切り欠きとして刻設されている。刻設された視認補助溝２０３の底部の表面は、鏡面加工等の加工が施された反射部２０３ａとなっている。露出した表示部２１０ａの色が視認補助溝２０３の反射部２０３ａに反射されるので、使用者は、表示部２１０ａを間接的に視認可能となり、表示部２１０ａの露出状況を視認し易くなる。表示部２１０ａは、可動部材２１が、下側に位置する場合より、上側に位置する場合に、筐体２０から大きく露出する。即ち、可動部材２１が上側から下側へ移動することにより、大きく露出していた表示部２１０ａは、筐体２０内に隠れ、又は露出部分が小さくなる。
【００３０】
さらに、端子台２の筐体２０の左右の下端には、端子台部品３の規制部３０の下端が差し込まれる差込口２０４が設けられている。
【００３１】
図６は、本願記載の端子台装置１に用いられる端子台２に対して使用可能な端子４の一例を示す外観斜視図である。図６に示すように、端子台２に着脱可能な端子４は、電力線、信号線等の線材４０の先端に、例えば、かしめられた状態で取り付けられている。ここでは、端子４の形状として、係止孔４１が開設された平板環状の丸端子を例示しているが、これに限るものではなく、平面視矩形状の端子４、一部が開環したＣ字型形状の端子４、Ｕ字型形状の端子４等の様々な形状の端子４を用いることが可能である。端子４部分は、金属等の導電体で形成されており、線材４０部分は、一又は複数本の金属線等の導電体を一重又は多重に絶縁体で被覆して形成されている。
【００３２】
図７は、本願記載の端子台装置１に用いられる端子台２に対して使用可能な端子４の一例を示す外観斜視図である。図７は、端子４の他の形態として並列に並べた複数の端子４を接続した渡りバー（渡り金具）を示している。渡りバーは、複数の端子４を金属導体で連結し、金属導体を、硬質樹脂等の絶縁体で被覆して形成されている。図７に例示する渡りバーの端子４部分の形状は、係止孔４１が開設された平板環状の丸端子を例示しているが、これに限るものではなく、平面視矩形状の端子４、一部が開環したＣ字型形状の端子４、Ｕ字型形状の端子４等の様々な形状の端子４を用いることが可能である。また、図７では、２箇所の端子受け部２２０を連結する渡りバーを示しているが、左右に並ぶ端子受け部２２０が３以上の場合、３以上の端子４が連結された渡りバーを使用することも可能である。
【００３３】
次に、端子台２の内部の構造について説明する。図８は、本願記載の端子台装置１に用いられる端子台２の内部構造の一部の例を示す概略斜視図である。図８は、端子台２の筐体２０を外し、筐体２０内に収容されている各種部材の構造及び配置を斜め上からの視点で示している。なお、内部構造の把握を容易にするため、図８では、１枚の接続部材２２による１組の接続組の構造のみを記載しているが、図４及び図５に例示する端子台２では、図８に例示する接続部材２２と同様の接続部材２２が２枚配設されており、それぞれ同様の接続組の構造が形成されている。
【００３４】
端子台２の筐体２０内には、挿入口２０１から挿入された端子４と電気的に接続される板状の接続部材２２が収容されている。接続部材２２は、矩形板状をなす金属材料等の導電体で形成されており、長手方向の両端近傍に、平面視円形状の貫通孔２２１が開設されている。接続部材２２の上面側には、接続部材２２の付属品として押さえ金具２２２が配設されている。押さえ金具２２２は、接続部材２２と略同形状の金属板を面方向へ弓状に屈曲させた形状をなしている。接続部材２２の上面と、上面側に配設された押さえ金具２２２とにより、上側の端子受け部２２０が形成されている。そして、端子受け部２２０に挿入された端子４は、押さえ金具２２２により、接続部材２２の上面に押圧され、接続部材２２と電気的に接続された状態で保持される。また、接続部材２２の下面側にも、押さえ金具２２２が配設されており、接続部材２２の下面と、下面側に配設された押さえ金具２２２とにより、下側の端子受け部２２０が形成されている。そして、下側の端子受け部２２０に挿入された端子４は、押さえ金具２２２により、接続部材２２の下面に押圧され、接続部材２２と電気的に接続された状態で保持される。接続部材２２は、両端に、それぞれ端子受け部２２０が形成されており、左端側に挿入された端子４と右端側に挿入された端子４とを電気的に接続することができる。また、上側の端子受け部２２０に挿入された端子４と下側の端子受け部２２０に挿入された端子４とを電気的に接続することができる。なお、図８では、上段の端子受け部２２０に線材４０が取り付けられた端子４が接続されており、下段の端子受け部２２０には渡りバーの端子４が挿入された形態を例示している。
【００３５】
また、図８では、端子受け部２２０に挿入された上下の端子４の係止孔４１に対し、可動部材２１の挿通部２１１が挿通し、挿通部２１１により双方の端子４を係止している状態を示している。可動部材２１は、上下に移動可能であり、可動部材２１の下方には、可動部材２１を上方に付勢する圧縮コイルバネ等の付勢部材が配設されている。可動部材２１が上方へ移動することにより、可動部材２１の挿通部２１１が端子４の係止孔４１に挿通して端子４を係止し、可動部材２１が下方へ移動することにより、挿通部２１１による係止が解除される。
【００３６】
更に、端子台２の筐体２０は、下側の端子受け部２２０を遮蔽可能な遮蔽部材２３を収容している。遮蔽部材２３は、略長方形の板状をなし、上下に移動可能であり、上方に位置する場合に、端子受け部２２０を遮蔽し、下方へ移動することにより、端子受け部２２０を開放する。遮蔽部材２３の内側（可動部材２１側）には、遮蔽部材２３を上方に付勢する圧縮コイルバネ等の付勢部材が配設されている。
【００３７】
可動部材２１について更に詳述する。図９は、本願記載の端子台装置１に用いられる端子台２の可動部材２１の外観の一例を示す概略外観図である。図９（ａ）は、平面図であり、図９（ｂ）は、正面図である。可動部材２１は、円柱状をなす突出部２１０と、突出部２１０より軸方向の長さが短い円柱状をなす挿通部２１１とのそれぞれの下端を板状の連結部２１２で繋いだ略J字状をなしている。また、可動部材２１は、挿通部２１１の下端近傍に遮蔽部材２３側へ向けて突出し、遮蔽部材２３の内側の面に当接して下方へ押下する押下部２１３が形成されている。
【００３８】
そして、使用者は、可動部材２１の突出部２１０を押下することにより、可動部材２１が下方へ移動する。可動部材２１が下方へ移動することにより、可動部材２１の押下部２１３にて遮蔽部材２３も下方へ押下されるため、遮蔽部材２３も下方へ移動する。この状態で、上段及び下段の端子受け部２２０に対して端子４を挿入することが可能となる。なお、可動部材２１の挿通部２１１は、端子４の挿通方向に対してテーパー状の面が形成されているため、上段の端子受け部２２０に挿入する場合、端子４を端子受け部２２０に押し込むことによっても、可動部材２１が下方へ移動するので、端子４の挿入が可能となる。端子受け部２２０に端子４が挿入された場合、挿入された端子４は、接続部材２２に重畳し、端子４の係止孔４１と接続部材２２の貫通孔２２１とが連通状態となる。そして、連通状態となった端子４の係止孔４１及び接続部材２２の貫通孔２２１に、可動部材２１の挿通部２１１が挿嵌することにより、可動部材２１が端子４を係止する。
【００３９】
このような可動部材２１、遮蔽部材２３等の部材は、各挿入口２０１に対して配設されており、対となる左右の挿入口２０１から挿入された端子４を接続する接続部材２２が配設されている。従って、それぞれの側面に複数の挿入口２０１が開設された本願で例示する端子台２では、挿入された端子４を係止する挿通部２１１も複数並べて配設されている。
【００４０】
以上のように、本願記載の端子台装置１に用いられる端子台２は、可動部材２１の挿通部２１１が、端子４の係止孔４１に挿通することにより、一又は複数の端子４を係止することができる。なお、端子４は、押さえ金具２２２により押圧されているため固定されているが、大きな応力がかかった場合、挿通部２１１を軸として周方向に揺動する場合がある。即ち、端子台２は、可動部材２１の挿通部２１１により、揺動の軸を一にして複数の端子４を接続可能である。なお、挿通部２１１にて係止された端子４に取り付けられた線材４０が、挿通部２１１を軸として周方向へ揺動することについては、端子台部品３の規制部３０により規制される。
【００４１】
＜端子台部品３＞
次に端子台装置１に用いられる端子台部品３について説明する。図１０及び図１１は、本願記載の端子台装置１に用いられる端子台部品３の外観の一例を示す概略斜視図である。図１０は、本願記載の端子台部品３の外観を前方斜め上からの視点で示しており、図１１は、本願記載の端子台２の外観を後方斜め下からの視点で示している。
【００４２】
本願記載の端子台部品３は、端子台２の上面を覆うように形成されており、上面の前端及び後端から下方に向けて、端子台２の嵌着溝２００に嵌着させる嵌着片３１が形成されている。そして、端子台２の上方から端子台部品３を嵌め込み、端子台部品３の前後の嵌着片３１を、端子台２の嵌着溝２００に嵌着させることにより、端子台部品３は端子台２に固定され、端子台装置１が形成される。更に、上面の左端及び右端から、端子台２のそれぞれの挿入口２０１の両側（前方及び後方）を通って下方へ柱状に延伸し、延伸した部分を根元側として先端側が外側（左側又は右側）へ突出する規制部３０が突設されている。本願で例示するような一側の面に複数の挿入口２０１が開設された端子台２に取り付けられる端子台部品３では、挿入口２０１の両側（図１０及び図１１では前方側及び後方側）と、挿入口２０１同士の間とに規制部３０の柱状の根元部分が延伸される。従って、図１０及び図１１に例示するように一側の面に２箇所の挿入口２０１が開設されている場合、３本の規制部３０が突設されることになる。そして、各規制部３０の根元側の下端は、端子台２の下端に形成された差込口２０４に差し込まれる差込片３００となっており、差込片３００が差込口２０４に差し込まれることにより、各規制部３０は固定される。
【００４３】
端子台部品３の上面には、可動部材２１の突出部２１０に対応する位置に、突出部２１０を操作するための操作孔３２が開設されている。端子台カバーとして用いられる端子台部品３は、操作孔３２を含む上面の中央が盛り上がった形状に形成されており、端子台部品３を端子台２に取り付けることにより、端子台２から突出する突出部２１０が覆われる。即ち、端子台２に取り付けられた端子台部品３は、突出部２１０に対する操作用の操作孔３２が開設され、かつ突出部２１０を内包する。端子台部品３が突出部２１０を内包するとは、突出部２１０が端子台部品３より外部へ突出した部分がないように覆うことを示すものであり、必ずしも突出部２１０を包み込むように密閉する必要はない。これにより、可動部材２１の突出部２１０に対する外部品の衝突、誤操作等を防止することができる。また、ここでは、突出部２１０毎に操作孔３２を開設した実施形態を示しているが、端子台部品３が突出部２１０を内包しているのであれば、これに限るものではない。例えば、一の操作孔３２から複数の突出部２１０に対する操作が可能なように大きな操作孔３２を開設した端子台部品３が突出部２１０を内包する形態でもよい。なお、使用者は、端子台部品３が取り付けられた端子台２を操作する場合、例えば、先端が尖ったドライバ等の治具を用い、治具の先端を操作孔３２から挿入することにより、突出部２１０の押下等の操作が可能となる。
【００４４】
更に、端子台部品３の上面には、可動部材２１の表示部２１０ａに対応する位置に、表示部２１０ａを外部から視認可能な大きさの視認窓３３が開設されている。視認窓３３は、端子台部品３の上面の中央の盛り上がった部分から縁部の低い部分にかけての斜面に長方形状に開設されており、長辺方向が斜面に沿った上下方向（端部から中央へかけての方向）となる。このような長方形状に開設された視認窓３３は、上下に移動する表示部２１０ａの露出状況を上方及び側方から視認可能であり、使用者は、視認窓３３から表示部２１０ａを視認することにより、表示部２１０ａの露出状況を把握することができる。従って、使用者は、可動部材２１の表示部２１０ａの露出状況を把握して、可動部材２１の位置、即ち、挿通部２１１の係止による端子４の係止状態（ロック状態）を認識することが可能となる。
【００４５】
前述のように、端子台部品３の左右の側面には、端子台部品３の上面から下方へ柱状に延伸し、更に、柱状の根元側から外部へ向けて突出し、端子４に取り付けられた線材４０の揺動を規制する規制部３０がそれぞれ突設されている。先ず、左側面に突設された規制部３０について説明する。規制部３０は、端子４を挿入可能な挿入口２０１に対し両側、図面では、前方側の側部及び後方側の側部にそれぞれ形成されている。また、本願で例示しているような一側の面に複数の挿入口２０１が開設された端子台２に取り付けられる端子台部品３では、挿入口２０１の両側（図１０及び図１１では前方側及び後方側）と、挿入口２０１同士の間とからそれぞれ規制部３０が突出するように形成される。従って、図１０及び図１１に例示するように一側の面に２箇所の挿入口２０１が開設されている場合、３個の規制部３０が形成されることになる。
【００４６】
規制部３０は、板状をなしており、端子台２に固定された根元側から先端側に向けて正面視で先細りとなるような形状に形成されている。即ち、規制部３０は、前方又は後方からの視点では、端子台２に固定された根元側の上端近傍及び下端近傍を下底とする等脚台形状をなし、下底側より短い上底側が突出した形状となっている。
【００４７】
規制部３０は、根元側から略１／３程度の位置から線材４０側へ屈曲する屈曲片３０１が形成されている。屈曲片３０１は、揺動を規制すべき線材４０側へ屈曲している。従って、前方側の側部及び後方側の側部の規制部３０の屈曲片３０１は、挿入口２０１が位置する内側へ向けて屈曲しており、挿入口２０１同士の間に形成された規制部３０は、両側の挿入口２０１側へ向けて二股に分岐して屈曲した屈曲片３０１がそれぞれ規制すべき線材４０側へ屈曲している。このため、挿入口２０１間に形成された規制部３０は、平面視で略Ｙ字状をなしている。即ち、挿入口２０１に挿入された端子４を係止している挿通部２１１同士の間から突出する規制部３０の屈曲片３０１は、規制部３０の根元の両側に位置する挿通部２１１に係止された端子４に取り付けられているそれぞれの線材４０へ向けて分岐して屈曲している。このように線材４０側へ向けて屈曲した屈曲片３０１は、挿入口２０１に挿入された端子４に当接し、線材４０を両側から押圧することにより、線材４０の揺動を規制して、線材４０を保持する。
【００４８】
規制部３０から延びる屈曲片３０１の先端の辺（等脚台形の上底）には、円弧状の切り欠き３０２が上下２カ所に形成されている。屈曲片３０１の先端は、端子台２に挿入された端子４に当接し、線材４０を保持する機能を有しているが、円弧状の切り欠き３０２を形成し、切り欠き３０２にて線材４０に当接させることにより、屈曲片３０１と線材４０との接触部位を大きくして、線材４０を保持し易くすることができる。本願に例示する端子台２は、挿入口２０１内で上下２段に形成された端子受け部２２０にそれぞれ端子４を挿入可能であるため、上下２カ所に切り欠き３０２が形成されている。
【００４９】
規制部３０の根元近傍には、根元側の辺に平行な上下方向に延びるＵ字溝が分離部３０３として刻設されている。規制部３０の先端側に対し、分離部３０３を軸に捻るように力を加えることにより、規制部３０は、分離部３０３から容易に折れるので、規制部３０の先端側を根元側から切り離すことができる。即ち、突出する規制部３０の先端側に位置する屈曲片３０１は、規制部３０の根元から分離可能に形成されている。分離部３０３は、規制部３０の突出側の先端となる屈曲片３０１を分離可能とすることを目的とするため、屈曲片３０１を分離可能な形態であれば、Ｕ字溝に限るものではない。例えば、破線状の溝、点線上の溝の刻設、折れやすい材料の使用等、様々な形態に展開することが可能であり、更には、先端側と根元側とをそれぞれ係合可能な形状とし、取り外し及び取り付けが可能に構成することも可能である。更に、規制部３０の先端、即ち、屈曲片３０１の先端から分離部３０３又はその近傍まで直線状の切り込み３０４が設けられているため、規制部３０は、分離部３０３から上下別々に切り離すことも可能である。なお、ここでは、規制部３０の下側部分にのみ分離部３０３が形成された形態を示しているが、上側部分にも分離部３０３を形成することが可能である。即ち、規制部３０は、揺動の軸を一にして接続された複数の端子４のうちの一の端子４に取り付けられている線材４０に対応する位置の先端部分毎に分離可能に形成されている。
【００５０】
次に、右側面に突設された規制部３０について説明する。右側面の規制部３０は、下側の屈曲片３０１が分離された状態を示している。屈曲片３０１を分離することにより、図１乃至図５に例示するように、図７に例示したような左右に並ぶ端子受け部２２０を接続する渡りバーが使用可能となる。なお、左右に並ぶ端子受け部２２０の接続には、渡りバーに限らず、線材４０の両端に端子４を設けた部材を用いることも可能であるが、屈曲片３０１を分離しておくことにより、両端の端子４を接続する線材４０を短くすることが可能であり、このため全体を小型化することが可能となる。
【００５１】
以上のように、本願記載の端子台装置１は、端子台部品３に形成された規制部３０により、端子４に挿通することにより端子４を係止する挿通部２１１を軸とした線材４０の揺動を、端子台部品３から突出した規制部３０により規制することが可能である等、優れた効果を奏する。そして、線材４０の揺動を規制することにより、接続品質の向上等の効果が期待できる。線材４０の揺動に影響について更に詳述する。線材４０の揺動は、端子４の揺動に繋がる。端子４が揺動した場合、端子４と端子台２の接続部材２２との接触部分に微摺動摩耗等の異常を引き起こす可能性がある。仮に、端子４と接続部材２２との接触部分で、端子４の揺動が繰り返されることに起因する微摺動摩耗が発生した場合、接触部分の鍍金面に摩耗粉が生じて酸化する場合がある。端子４及び接続部材２２の接触部分、即ち、接点の酸化は、接触抵抗の上昇を引き起こすため、最終的には接触障害に繋がりかねない。本願記載の端子台装置１では、線材４０の揺動を規制することにより、このような接触障害の発生を抑制し、接続品質を向上させることが可能である。また、規制部３０は、先端側を分離することが可能であるので、渡りバーに取り付けられた端子４等の特殊な端子４の接続も可能である等の効果も奏する。
【００５２】
更に、本願記載の端子台装置１は、端子台部品３に視認補助溝２０３が刻設されているため、端子台２に端子台部品３を取り付けた状態でも、可動部材２１の表示部２１０ａの露出状況を視認し、可動部材２１の位置を認識することが可能である等、優れた効果を奏する。また、端子台装置１の端子台部品３には、操作孔３２が開設されているため、端子台２に端子台部品３を取り付けた状態でも、可動部材２１の押下等の操作をすることが可能である等、優れた効果を奏する。
【００５３】
本発明は、以上説明したそれぞれの実施形態に限定されるものではなく、他の様々な形態で実施することが可能である。そのため、上述した実施形態はあらゆる点で単なる例示に過ぎず、限定的に解釈してはならない。本発明の技術範囲は、請求の範囲によって説明するものであって、明細書本文には何ら拘束されない。更に、請求の範囲の均等範囲に属する変形及び変更は、全て本発明の範囲内のものである。
【００５４】
図１２及び図１３は、本願記載の端子台装置１に用いられる端子台部品３の外観の一例を示す概略斜視図である。図１２は、本願記載の端子台部品３の外観を前方斜め上からの視点で示しており、図１３は、本願記載の端子台２の外観を後方斜め下からの視点で示している。図１２及び図１３に例示する端子台２は、本発明に係る端子台装置１に用いられる端子台部品３の他の形態を例示している。図１２及び図１３に例示する端子台部品３は、一つの挿入口２０１に対応する端子受け部２２０が上下２段ではなく、一つの挿入口２０１に一つの端子受け部２２０が形成された端子台２に対応する形態を示している。当該形態の端子台部品３は、規制すべき線材４０は、上下方向には一段だけであるため、規制部３０から延びる屈曲片３０１の先端の辺には、円弧状の切り欠き３０２が１カ所形成されている。また、規制部３０には、分離部３０３が形成されており、突出する規制部３０の先端側に位置する屈曲片３０１は、規制部３０の根元から分離可能に形成されている。なお、図１２及び図１３では、右側の屈曲片３０１を分離した状態を例示している。
【００５５】
以上のように、本発明に係る端子台２は、端子受け部２２０を上下２段に形成した形態だけでなく、図１２及び図１３に例示するように、一段の形成しても良く、更には、３段以上に形成してもよい等、様々な形態に展開することが可能である。
【００５６】
また、前記実施形態では、端子台２の筐体２０の左右の側面に、挿入口２０１がそれぞれ２箇所開設されている形態を例示したが、本発明はこれに限るものではない。例えば、一方の側面に開設される挿入口２０１は、１箇所であってもよく、また、３箇所以上であってもよい。一方の側面に開設される挿入口２０１が１箇所の場合、二股に分岐する略Ｙ字状をなす規制部３０は、必ずしも必要ではない。また、一方の側面に開設される挿入口２０１が３箇所以上の場合、二股に分岐する略Ｙ字状をなす規制部３０は、挿入口２０１の間毎に突設することが望ましい。
【００５７】
更に、本発明に係る端子台装置１に用いられる端子台２としては、端子４の係止孔４１に挿通部２１１を挿通して係止する端子台２であれば良く、例示した端子台２に限らず、既存の端子台２に対して用いることも可能である。その際、挿通部２１１は、必ずしも可動部材２１として形成する必要は無く、固定された挿通部２１１に端子４を挿嵌する形態であってもよい等、様々な形態に展開することが可能である。
【符号の説明】
【００５８】
１        端子台装置
２        端子台
２０      筐体
２０１    挿入口
２０２    挿通孔
２０３    視認補助溝
２１      可動部材
２１０    突出部
２１０ａ  表示部
２１１    挿通部
２２      接続部材
２２０    端子受け部
２２１    貫通孔
３        端子台部品
３０      規制部
３０１    屈曲片
３０２    切り欠き
３０３    分離部
３０４    切り込み
３２      操作孔
３３      視認窓
４        端子
４０      線材
４１      係止孔
【図１】
2019139989.tif 000003
【図２】
2019139989.tif 000004
【図３】
2019139989.tif 000005
【図４】
2019139989.tif 000006
【図５】
2019139989.tif 000007
【図６】
2019139989.tif 000008
【図７】
2019139989.tif 000009
【図８】
2019139989.tif 000010
【図９】
2019139989.tif 000011
【図１０】
2019139989.tif 000012
【図１１】
2019139989.tif 000013
【図１２】
2019139989.tif 000014
【図１３】
2019139989.tif 000015